(57)【特許請求の範囲】
【請求項１】
液透過性の表面シート、液不透過性の防漏シート及び液保持性の吸収体を備え、実質的に縦長であり、長手方向の左右両側部に一対のサイドフラップ部を有する吸収性物品において、
背側部及び腹側部の少なくとも一方におけるウエスト部、又は一対の前記サイドフラップ部には、収縮材と非収縮材とからなる収縮シート材が配されており、
前記収縮材は、熱収縮性材料からなる熱収縮性シート、機械的処理により収縮するシート、溶剤による溶解等の化学的処理により収縮するシート、又はこれらのシートの何れか一つと弾性材料からなる弾性シートとを組み合わせた複合シートからなり、
前記収縮シート材は、前記収縮材と前記非収縮材とが貼り合わされてなり、
前記収縮シート材が、前記収縮材の収縮により該収縮材側に湾曲して、該収縮シート材が配された該ウエスト部又は一対の該サイドフラップ部が、吸収性物品の内方に向かって湾曲している吸収性物品。
【請求項２】
液透過性の表面シート、液不透過性の防漏シート及び液保持性の吸収体を備え、実質的に縦長であり、長手方向の左右の両側部及び／又は長手方向の少なくとも一端部に、立体ガードを有する吸収性物品において、
長手方向の両側部及び／又は長手方向の少なくとも一端部の立体ガードには、収縮材と非収縮材とからなる収縮シート材が配されており、
前記収縮材は、熱収縮性材料からなる熱収縮性シート、機械的処理により収縮するシート、溶剤による溶解等の化学的処理により収縮するシート、又はこれらのシートの何れか一つと弾性材料からなる弾性シートとを組み合わせた複合シートからなり、
前記収縮シート材は、前記収縮材と前記非収縮材とが貼り合わされてなり、
前記収縮シート材が、前記収縮材の収縮により該収縮材側に湾曲して、該収縮シート材が配された該立体ガードが、吸収性物品の内方に向かって湾曲している吸収性物品。
【請求項３】
前記収縮シート材は、帯状の形態を有しており、前記立体ガードの長手方向に沿って配され、幅方向に沿って湾曲している請求項２記載の吸収性物品。
【発明の詳細な説明】
【０００１】
【発明の属する技術分野】
本発明は、レッグ部やウエスト部からの漏れ防止性に優れ、しかも着用者の脚回りや胴回りを過度に締め付けることのない吸収性物品に関する。
【０００２】
【従来の技術及び発明が解決しようとする課題】
一般に、使い捨ておむつ等の吸収性物品においては、弾性体を延伸させた状態でレッグ部やウエスト部に固定し、弾性体の収縮力を利用して身体を締め付ける、あるいはフィットさせることにより、モレを防止している。
【０００３】
しかし、このような使い捨ておむつにおいては、弾性体と直交する方向に延びる多条のしわと隙間が発生し、その隙間を通ってモレが発生する場合がある。
このような漏れを防止しようとすると、隙間をなくすために締め付けをきつくする必要があり、そのため、特に乳幼児の肌に締め付け跡が残る等の不都合を生じる。
【０００４】
従って、本発明の目的は、レッグ部やウエスト部からの漏れ防止性に優れ、しかも着用者の脚回りや胴回りを過度に締め付けることのない、使い捨ておむつ等の吸収性物品を提供することにある。
【０００５】
【課題を解決するための手段】
本発明は、液透過性の表面シート、液不透過性の防漏シート及び液保持性の吸収体を備え、実質的に縦長であり、長手方向の左右両側部に一対のサイドフラップ部を有する吸収性物品において、背側部及び腹側部の少なくとも一方におけるウエスト部、又は一対の前記サイドフラップ部には、収縮材と非収縮材とからなる収縮シート材が配されており、前記収縮材は、熱収縮性材料からなる熱収縮性シート、機械的処理により収縮するシート、溶剤による溶解等の化学的処理により収縮するシート、又はこれらのシートの何れか一つと弾性材料からなる弾性シートとを組み合わせた複合シートからなり、前記収縮シート材は、前記収縮材と前記非収縮材とが貼り合わされてなり、前記収縮シート材が、前記収縮材の収縮により該収縮材側に湾曲して、該収縮シート材が配された該ウエスト部又は一対の該サイドフラップ部が、吸収性物品の内方に向かって湾曲している吸収性物品を提供することにより、上記の目的を達成したものである（以下、この発明を第１発明という）。
【０００６】
また、本発明は、液透過性の表面シート、液不透過性の防漏シート及び液保持性の吸収体を備え、実質的に縦長であり、長手方向の左右の両側部及び／又は長手方向の少なくとも一端部に、立体ガードを有する吸収性物品において、長手方向の両側部及び／又は長手方向の少なくとも一端部の立体ガードには、収縮材と非収縮材とからなる収縮シート材が配されており、前記収縮材は、熱収縮性材料からなる熱収縮性シート、機械的処理により収縮するシート、溶剤による溶解等の化学的処理により収縮するシート、又はこれらのシートの何れか一つと弾性材料からなる弾性シートとを組み合わせた複合シートからなり、前記収縮シート材は、前記収縮材と前記非収縮材とが貼り合わされてなり、前記収縮シート材が、前記収縮材の収縮により該収縮材側に湾曲して、該収縮シート材が配された該立体ガードが、吸収性物品の内方に向かって湾曲している吸収性物品を提供することにより、上記の目的を達成したものである（以下、この発明を第２発明という）。
【０００７】
尚、本発明において、収縮シート材が配されているとは、所定の部位に、別体として形成した収縮シート材を配する場合の他、その部位が、収縮シート材と他の材との接合によって形成されている場合を含む意味である。
【０００８】
【発明の実施の形態】
以下、本発明（第１発明及び第２発明）を、その好ましい実施形態（第１〜第３実施形態）に基づいて詳細に説明する。
図１に示す使い捨ておむつ１は、液透過性の表面シート２、液不透過性の防漏シート３、及び液保持性の吸収体４を備え、実質的に縦長に形成されている、いわゆる展開型の使い捨ておむつである。
【０００９】
使い捨ておむつ１における表面シート２及び防漏シート３は、それぞれ吸収体４よりも大きい外形寸法を有し、これら両シート２，３間に、略矩形状をなす縦長の吸収体４が挟持固定されている。防漏シート３は、長手方向の両側縁部が吸収体４の両側縁４ａ，４ａよりも左右外方に位置するように延出している。また、防漏シート３の裏面側には、外層シート１３が配されている。
【００１０】
おむつ１の長手方向の両側には、左右一対の側部立体ガード５，５が設けられている。各側部立体ガード５，５は、弾性部材５１を有する側部シート材５２を配して形成されており、各側部立体ガード５の自由端５３は、その基端５４よりも、使い捨ておむつ１の内方側に位置し、該基端５４は、側部シート材５２を、吸収体４の側縁４ａの近傍において、表面シート２に接着固定して形成されている。各側部シート材５２は、自由端５３とは反対側の外縁部が吸収体４の側縁４ａよりも外方に位置するように延出しており、その延出部分は、防漏シート３に貼り合わされ該防漏シート３と共におむつ１の左右の両側部にサイドフラップ部６を形成している。
【００１１】
また、使い捨ておむつ１の長手方向の両端には、それぞれ弾性部材７１を有する端部シート材７２，７２が配され、それぞれ背側立体ガード７Ａ及び腹側立体ガード７Ｂが形成されている。尚、レッグギャザー形成用のレッグ部弾性部材は配されていないが、着用者の肌を過度に締め付けることのない範囲内ではレッグ廻りのモレ防止効果の観点から、レッグ部弾性部材が配されていても良い。また、背側部における左右両側縁部には、おむつ止着用のファスニングテープ８が設けられている。
【００１２】
以上に説明した使い捨ておむつ１の構造は、第１発明の第１及び第２実施形態並びに第２発明の第３実施形態の使い捨ておむつに共通する基本構造であり、該基本構造を構成する各部材としては、通常公知の各種の材料を特に制限なく用いることができる。
【００１３】
次に、第１実施形態の使い捨ておむつにおける特長部分について説明する。
第１実施形態の使い捨ておむつは、図１及び図２に示すように、背側部Ａにおける一対のサイドフラップ部６，６に、それぞれ、収縮材１１と非収縮材１２とからなる収縮シート材１０Ａが配されており、一対の該サイドフラップ部６，６が、使い捨ておむつ１の内方に向かって湾曲している。
【００１４】
各収縮シート材１０Ａは、実質的に縦長の形状を有しており、その長手方向を使い捨ておむつ１の長手方向に略一致させて配されている。そして、自然状態において、各収縮シート材１０Ａは、その長手方向のほぼ全領域に亘って、おむつ１の幅方向に沿って収縮材１１側に湾曲しており、各収縮シート材１０Ａの湾曲により、背側部におけるサイドフラップ部６が、おむつ１の内方に向かって略円弧状に湾曲している。尚、各収縮シート材１０Ａは、接着剤、溶着等の公知の手段により、非収縮材１２側が側部シート材５２に接合固定されている。
【００１５】
また、別の実施形態としては、収縮シート１０Ａが、側部シート材５２と防漏シート３又は外層シート１３との間に、収縮材１１を側部シート材５２側にして挟持固定されていても良い。更に、別の実施形態としては、サイドフラップ部６における側部シート材５２が、収縮材１１であり、防漏シート３又は外層シート１３が非収縮材であっても良い。
【００１６】
次に、第２実施形態の使い捨ておむつにおける特長部分について説明する。
第２実施形態の使い捨ておむつは、図１及び図３に示すように、背側部Ａにおけるウエスト部１ａに、収縮材１１と非収縮材１２とからなる収縮シート材１０Ｂが配されており、該ウエスト部１ａが、使い捨ておむつの内方に向かって湾曲している。ここで、ウエスト部とは、着用時に着用者の腰（ウエスト）回りないし胴回りに配される部分をいい、使い捨ておむつの長手方向の端縁から３０ｍｍ程度の部分をいう。
【００１７】
収縮シート材１０Ｂは、実質的に縦長の帯状形状を有しており、その長手方向が、使い捨ておむつ１の幅方向に一致するように配されている。そして、自然状態において、収縮シート材１０Ｂは、その長手方向のほぼ全領域に亘って、その幅方向に沿って収縮材１１側に湾曲し、該収縮シート材１０Ｂの湾曲により、ウエスト部１ａがおむつ１の内方に向かって略円弧状に湾曲している。第２実施形態における収縮シート材１０Ｂは、ウエスト部１ａにおいて、端部シート材７２と防漏シート３との間に、収縮材１１を端部シート材７２側にして挟持固定されている。
尚、収縮シート材１０Ｂは、おむつ１の長手方向の端部側の端縁が、おむつの該端縁の位置に略一致するように配されている。
【００１８】
また、別の実施形態としては、収縮シート１０Ｂが、端部シート材７２又は外層シート１３上に接合されていても良いし、防漏シート３と外層シート１３との間に挟持固定されていても良い。
【００１９】
次に、第３実施形態の使い捨ておむつにおける特長部分について説明する。
第３実施形態の使い捨ておむつは、図１及び図４に示すように、その長手方向の左右両側の一対の側部立体ガード５，５に、収縮材１１と非収縮材１２とからなる収縮シート材１０Ｃが配されており、両側部立体ガード５，５が、使い捨ておむつの内方に向かって湾曲している。
【００２０】
各収縮シート材１０Ｃは、略矩形状の縦長形状を有しており、その長手方向を各側部立体ガードの長手方向に一致させて配されている。そして、自然状態において、各収縮シート材１０Ｃは、その長手方向のほぼ全領域に亘って、その幅方向に沿って収縮材１１側に湾曲し、各収縮シート材１０Ｃの湾曲により、各側部立体ガード５が、その基端５４から自由端５３に向かって略円弧状をなすように幅方向に沿って湾曲している。各収縮シート材１０Ｃは、各側部立体ガード５における表面シート２に対向する面に、該面に非収縮材１１を当接させるようにして接着固定されている。
【００２１】
また、別の実施形態としては、収縮シート１０Ｃが、側部立体ガード５における表面シート２に対向しない面側に配されていても良い。
【００２２】
第１〜３実施形態における収縮シート材１０（１０Ａ〜１０Ｃ）は、図２〜４に示されるように、それぞれシート状の収縮材１１と非収縮材１２とが貼り合わされてなる積層シートである。
収縮材１１は、非収縮材１２と貼り合わされた状態において収縮し、該収縮シート材１０を該収縮材１１側に湾曲させるもので、シート状である。
収縮材１１としては、下記（２）〜（４）の何れかのシート、又は下記（２）〜（４）のシートの何れか一つと下記（１）のシートとを組み合わせた複合シートが用いられる。
（１）天然ゴム、合成ゴム、合成樹脂フィルム、合成樹脂ネット、フォーム材又はそれらの組み合わせ等の弾性材料からなる弾性シート
（２）ポリエチレン、ポリプロピレン等の熱収縮性材料からなる熱収縮性シート
（３）エンボス等の機械的処理により収縮するシート
（４）溶剤による溶解等の化学的処理により収縮するシート
【００２３】
非収縮材１２は、収縮材１１が収縮する際に、該収縮材１１よりも収縮率の小さいシート材であり、収縮シート材１０を収縮材１１側に湾曲させ得るものであれば、その形成材料等には特に制限はなく、収縮材１１の収縮に伴って、ある程度収縮するものであっても良い。また、非収縮材１２の形成材料としては、不織布、織布、合成樹脂製のフィルム、フォーム材、又はそれらの組み合わせ等を挙げることができる。
【００２４】
また、収縮材１１と非収縮材１２とを貼り合わせる方法としては、接着剤による接着、熱融着、縫着等、収縮材１１と非収縮材１２とを貼り合わせることができる限り特に制限されないが、製造ライン中における貼り合わせ処理の容易、低コスト、貼り合わせパターンの多様性等の観点から、接着及び熱融着が好ましく、特に熱融着が好ましい。また、収縮シート材１０自体を吸収性物品に固定する方法についても接着、熱融着、縫着等特に制限されない、尚、収縮材１１と非収縮材１２とを接着する際の接着剤の塗工パターンとしては、べた、スパイラル状、線状、散点状等が挙げられ、熱溶着等の溶着パターンも同様のパターンとすることができる。
【００２５】
第１〜第３実施形態に係る使い捨ておむつは、それぞれ、所定箇所に収縮シート１０Ａ〜Ｃを配する以外は通常の展開型の使い捨ておむつと同様にして製造でき、また、通常の展開型のおむつと同様にして使用することができる。
【００２６】
そして、第１実施形態の使い捨ておむつによれば、一対の前記サイドフラップ部６，６に、収縮シート材１０Ｂが配されており、一対の該サイドフラップ部６，６が、おむつ１の内方に向かって湾曲しているため、レッグギャザー形成用の弾性部材等により、脚廻りを過度に締め付けることなく、脚廻りからの漏れを効果的に防止することができる。
更に、サイドフラップ部がめくれることがなく、サイドフラップ部の内面側に異物が浸入することがない。また、装着時における着用者の肌とサイドフラップ部６の内面（肌当接面）との間に所定の間隙が形成されるため、脚廻りにムレやカブレ等を生じ難い。また、着用時における着用者の両側部に袋状の膨出部Ｓが形成されるため、外観が意匠的にも優れたものとなる。
【００２７】
また、第２実施形態の使い捨ておむつによれば、ウエスト部１ａに収縮シート材１０Ａが配されており、該ウエスト部１ａが使い捨ておむつの内方に向かって湾曲しているため、ウエストギャザー形成用の弾性部材等により、胴回りを過度に締め付けることなく、ウエスト部１ａからの漏れを効果的に防止することができる。
更に、ウエスト部１ａがめくれることがなく、ウエスト部１ａの内面側に異物が浸入することがない。また、装着時における着用者の肌とウエスト部１ａの内面（肌当接面）との間に所定の間隙が形成されるため、ウエスト廻りにムレやカブレ等が生じ難い。また、着用時における着用者のウエスト廻りに袋状の膨出部Ｓ’が形成されるため、外観が優れたものとなる。
【００２８】
また、第３実施形態の使い捨ておむつによれば、側部立体ガードに、収縮シート材１０Ｃが配されており、該立体ガード５が、おむつの内方に向かって湾曲しているため、立体ガード形成用の弾性部材５１等により、脚廻りを過度に締め付けることなく、脚廻りからの漏れを効果的に防止することができる。特に収縮シート材１０Ｃは、帯状の形態を有しており、側部立体ガード５，５の長手方向に沿って配され、幅方向に沿って湾曲しているため、係る効果により優れたものとなっている。
更に、第３実施形態の使い捨ておむつによれば、側部立体ガード５がおむつの内方に向かって湾曲しているため、側部立体ガード５の内側に入った液は、側部立体ガード５を乗り越え難く、漏れ防止効果に優れたものとなっている。
【００２９】
尚、側部立体ガード５，５に代え又は該側部立体ガード５，５に加えて、背側及び／又は腹側の立体ガード７Ａ，７Ｂに同様の伸縮部材を配すれば、ウエストギャザー形成用の弾性部材等により胴回りを過度に締め付けることなく、ウエスト部１ａからの漏れを効果的に防止することができる。
【００３０】
以上、第１発明及び第２発明それぞれの好ましい実施形態について説明したが、それぞれ上述の実施形態に制限されるものではなく、各発明の趣旨を逸脱しない範囲で種々変更が可能である。
【００３１】
例えば、各実施形態に共通する上記の基本構造も適宜変更することができる。また、第１実施形態における収縮シート材１０Ａは、サイドフラップ部６における腹側部Ｂに位置する部分に配しても良いし、背側部Ａから腹側部Ｂに亘るように配しても良い。また、側部シート材５２を、非収縮材１２として収縮シート材１０を形成しても良い。
【００３２】
また、第２実施形態における収縮シート材１０Ｂは、腹側部Ｂのウエスト部１ｂに配しても良いし、背側部Ａ及び腹側部Ｂの両方に配しても良い。
また、第３実施形態における収縮シート材１０Ｃは、背側部Ａと腹側部Ｂとの間に亘るように配しなくても良く、背側部Ａ又は腹側部Ｂに位置する部分にのみ配しても良い。
【００３３】
また、第１及び第２発明における収縮シート材は、第１実施形態におけるように吸収性物品の表面に設けても良いし、第２実施形態におけるように吸収性物品の内部に配設しても良い。また、一の実施形態における説明省略部分は適宜他の実施形態にも適用され、また、一の実施形態のみが有する要件はそれぞれ他の実施形態にも適用可能である。尚、本発明は、乳幼児や成人用の展開型の使い捨ておむつの他、パンツ型の使い捨ておむつ、更には、失禁パットや生理用ナプキン等にも適用することもできる。
【００３４】
【発明の効果】
本発明( 第１，第２発明）によれば、レッグ部やウエスト部からの漏れ防止性に優れ、しかも着用者の脚回りや胴回りを過度に締め付けることのない、使い捨ておむつ等の吸収性物品を提供することができる。
【図面の簡単な説明】
【図１】図１は、第１発明の第１及び第２実施形態並びに第２発明の第３実施形態それぞれの使い捨ておむつに共通する基本構造を示す展開平面図である。
【図２】図２は、第１実施形態の使い捨ておむつにおける図１のＸ−Ｘ線断面を模式的に示す断面図である。
【図３】図３は、第２実施形態の使い捨ておむつにおける図１のＹ−Ｙ線断面を模式的に示す断面図である。
【図４】図４は、第３実施形態の使い捨ておむつにおける図１のＺ−Ｚ線断面を模式的に示す断面図である。
【符号の説明】
１    吸収性物品（使い捨ておむつ）
１ａ，１ｂ  ウエスト部
２    表面シート
３    防漏シート
４    吸収体
５    側部立体ガード
６    サイドフラップ部
７Ａ  背側立体ガード
７Ｂ  腹側立体ガード
１０  収縮シート
１１  収縮材
１２  非収縮材
【図１】
0004020551.tif 000002
【図２】
0004020551.tif 000003
【図３】
0004020551.tif 000004
【図４】
0004020551.tif 000005